(57)【特許請求の範囲】
【請求項１】
磁気回路を構成する配線パターンが形成された振動板と、
前記振動板を挟み、所定の間隔を空けて対向配置された一対の永久磁石板と、
その内部に前記一対の永久磁石板を固定支持し且つ前記振動板をその板面方向の移動を規制すると共に前記板面方向と直交する板厚方向において各永久磁石板から離れた位置に支持する筐体と、
を備え、
前記振動板は、
前記磁気回路で発生された電磁力により、前記一対の永久磁石板の間で前記板厚方向に振動する中央領域と、
前記中央領域を取り囲む周縁領域と、
を有し、
前記周縁領域は、
一部が前記筐体に固定され、
前記筐体に固定された領域の周辺に第一のスリットが形成されており、前記筐体に固定された領域の周辺領域が前記中央領域よりも剛性が低くなっていることにより、前記中央領域の前記板厚方向の振動を許容し、
前記振動板は、
前記周縁領域に形成された孔に通されたねじによって前記筐体にねじ止めされており、
前記孔と略同軸となる円弧状の複数の前記第一のスリットが前記孔の周囲に形成されている、
平板スピーカ。
【請求項２】
前記振動板は、
前記ねじによって前記平板スピーカの前記筐体及び前記平板スピーカを搭載する装置の筐体と共締めされる、
請求項１に記載の平板スピーカ。
【請求項３】
磁気回路を構成する配線パターンが形成された振動板と、
前記振動板を挟み、所定の間隔を空けて対向配置された一対の永久磁石板と、
その内部に前記一対の永久磁石板を固定支持し且つ前記振動板をその板面方向の移動を規制すると共に前記板面方向と直交する板厚方向において各永久磁石板から離れた位置に支持する筐体と、
を備え、
前記振動板は、
前記磁気回路で発生された電磁力により、前記一対の永久磁石板の間で前記板厚方向に振動する中央領域と、
前記中央領域を取り囲む周縁領域と、
を有し、
前記周縁領域は、
前記周縁領域の外周側の領域が全周に亘って前記筐体に固定され、
前記周縁領域の内周側の領域において複数の第一のスリットが全周方向に並べて形成されており、前記筐体に固定された領域の内周側にある前記内周側の領域が前記中央領域よりも剛性が低くなっていることにより、前記中央領域の前記板厚方向の振動を許容する、
平板スピーカ。
【請求項４】
前記筐体に固定された領域及び前記第一のスリットは、
前記振動板の中心を通る中心線を挟んで対称となる位置に形成されている、
請求項１から請求項３の何れか一項に記載の平板スピーカ。
【請求項５】
前記振動板は、
前記第一のスリットの周辺に第一の補強板が取り付けられている、
請求項１から請求項４の何れか一項に記載の平板スピーカ。
【請求項６】
前記筐体は、
一方の前記永久磁石板と前記振動板との前記板厚方向のクリアランスと、他方の前記永久磁石板と前記振動板との前記板厚方向のクリアランスとが等しくなる位置に前記振動板を支持する、
請求項１から請求項５の何れか一項に記載の平板スピーカ。
【請求項７】
前記振動板は、
前記筐体に収容されており、前記中央領域を含む振動板本体と、
前記振動板本体から引き出され、先端に、前記配線パターンと前記配線パターンに通電するための回路とを接続するコネクタが取り付けられた引き出し部と、
を有し、
前記引き出し部と前記中央領域が、前記引き出し部及び前記中央領域よりも剛性の低い低剛性部分を介して連結した形状を持つ、
請求項１から請求項６の何れか一項に記載の平板スピーカ。
【請求項８】
前記振動板は、
前記引き出し部が形成されている前記振動板本体の辺付近に、前記辺に沿って長い第二のスリットが形成されており、
前記低剛性部分は、
前記振動板本体の前記辺と、前記辺に隣接して並ぶ前記第二のスリットの辺によって規定される幅を持つ細長い形状を有する、
請求項１又は請求項２を引用する、請求項７に記載の平板スピーカ。
【請求項９】
前記低剛性部分は、
前記振動板の中心を通る中心線を挟んで対称となる形状を持つ、
請求項７又は請求項８に記載の平板スピーカ。
【請求項１０】
前記振動板は、
少なくとも１本の棒形状からなる第二の補強板が前記振動板本体に取り付けられており、
前記棒形状は、
前記振動板本体の辺付近から別の辺付近又は頂点付近まで延びる形状、又は前記振動板本体の頂点付近から別の頂点付近まで延びる形状を有する、
請求項７から請求項９の何れか一項に記載の平板スピーカ。
【請求項１１】
前記第二の補強板は、
前記振動板の中心を通る中心線を挟んで対称となる形状を持つ、
請求項１０に記載の平板スピーカ。
【請求項１２】
前記第二の補強板は、
前記振動板本体の各辺付近に前記中央領域を取り囲うように配置された複数の前記棒形状を組み合わせた形状を有する、
請求項１０又は請求項１１に記載の平板スピーカ。
【請求項１３】
前記振動板本体が複数の対角線を持つ形状となっており、
前記第二の補強板は、
前記複数の対角線上の各々に配置された複数の前記棒形状を組み合わせた形状を有する、
請求項１０又は請求項１１に記載の平板スピーカ。
【発明の詳細な説明】
【技術分野】
【０００１】
本発明は、振動板を振動させることにより音源を再生する平板スピーカに関する。
【背景技術】
【０００２】
平面振動板を振動させることにより音源を再生する平板スピーカが知られている。平板スピーカは、概略的には、平板状フレーム、永久磁石板、不織布シート、平面振動板、不織布シート、永久磁石板、平板状フレームを順に重ねた構成となっている。平面振動板は、所定のパターン（ボイスコイル）がプリント配線されたＦＰＣ（Flexible Printed Circuits）であり、ボイスコイルに通電されると、フレミングの左手の法則に従う電磁力により、不織布シートを挟んで対向配置された一対の永久磁石板の間で板厚方向に振動する。振動によって生じた音波（すなわち、音源を再生した再生音）は外部に放射されて、聴取者によって聴取される。例えば特許文献１に、この種の平板スピーカの具体的構成が記載されている。
【０００３】
平面振動板が板厚方向に振動して永久磁石板に機械的に干渉すると、その干渉音が異音（ノイズ）となって放射される。特許文献１に記載の平板スピーカは、緩衝機能を持つ不織布シートを平面振動板と各永久磁石板との間に介在させて、平面振動板が永久磁石板に直接干渉しない構成とすることにより、この種のノイズが抑圧されている。
【先行技術文献】
【特許文献】
【０００４】
【特許文献１】特開平９−３３１５９６号公報
【発明の概要】
【発明が解決しようとする課題】
【０００５】
しかし、不織布シートが湿気や水分を含むと、例えば、不織布シートの重量が重くなって平面振動板に負荷が掛かったり、不織布シートの体積が膨張して板厚方向における平面振動板の可動範囲が狭くなったりする等の不具合が発生して、音質や音圧が低下する虞がある。
【０００６】
本発明は上記の事情に鑑みてなされたものであり、その目的とするところは、不織布シートを備えない構成でありつつも平面振動板と永久磁石板との機械的干渉によるノイズを抑圧するのに好適な平板スピーカを提供することである。
【課題を解決するための手段】
【０００７】
本発明の一実施形態に係る平板スピーカは、磁気回路を構成する配線パターンが形成された振動板と、振動板を挟み、所定の間隔を空けて対向配置された一対の永久磁石板と、その内部に一対の永久磁石板を固定支持し且つ振動板をその板面方向の移動を規制すると共に該板面方向と直交する板厚方向において各永久磁石板から離れた位置に支持する筐体とを備える。振動板は、磁気回路で発生された電磁力により、一対の永久磁石板の間で板厚方向に振動する中央領域と、中央領域を取り囲む周縁領域とを有する。振動板の周縁領域は、一部が筐体に固定され、筐体に固定された領域の周辺領域が中央領域よりも剛性が低くなっていることにより、該中央領域の板厚方向の振動を許容する。
【０００８】
また、本発明の一実施形態において、振動板の周縁領域には、筐体に固定された領域の周辺に第一のスリットが形成されてもよい。
【０００９】
また、本発明の一実施形態において、振動板は、周縁領域に形成された孔に通されたねじによって筐体にねじ止めされており、該孔と略同軸となる円弧状の複数の第一のスリットが該孔の周囲に形成された構成としてもよい。
【００１０】
また、本発明の一実施形態において、振動板は、ねじによって平板スピーカの筐体及び該平板スピーカを搭載する装置の筐体と共締めされてもよい。
【００１１】
また、本発明の一実施形態において、振動板は、周縁領域の外周側の領域が全周に亘って筐体に固定され、周縁領域の内周側の領域において複数の第一のスリットが全周方向に並べて形成された構成としてもよい。
【００１２】
また、本発明の一実施形態において、振動板の周縁領域で、筐体に固定された領域及び第一のスリットは、振動板の中心を通る中心線を挟んで対称となる位置に形成されてもよい。
【００１３】
また、本発明の一実施形態において、振動板は、第一のスリットの周辺に第一の補強板が取り付けられたものとしてもよい。
【００１４】
また、本発明の一実施形態において、筐体は、一方の永久磁石板と振動板との板厚方向のクリアランスと、他方の該永久磁石板と該振動板との該板厚方向のクリアランスとが等しくなる位置に該振動板を支持する構成としてもよい。
【００１５】
また、本発明の一実施形態において、振動板は、筐体に収容されており、中央領域を含む振動板本体と、振動板本体から引き出され、先端に、配線パターンと該配線パターンに通電するための回路とを接続するコネクタが取り付けられた引き出し部と有する構成としてもよい。この場合において、振動板は、引き出し部と中央領域が、該引き出し部及び該中央領域よりも剛性の低い低剛性部分を介して連結した形状を持つものとしてもよい。
【００１６】
また、本発明の一実施形態において、振動板は、引き出し部が形成されている振動板本体の辺付近に、該辺に沿って長い第二のスリットが形成されたものとしてもよい。この場合、低剛性部分は、例えば、振動板本体の辺と、該辺に隣接して並ぶ第二のスリットの辺によって規定される幅を持つ細長い形状を有する。
【００１７】
また、本発明の一実施形態において、低剛性部分は、振動板の中心を通る中心線を挟んで対称となる形状を持つものとしてもよい。
【００１８】
また、本発明の一実施形態において、振動板は、少なくとも１本の棒形状からなる第二の補強板が振動板本体に取り付けられた構成としてもよい。棒形状は、例えば、振動板本体の辺付近から別の辺付近又は頂点付近まで延びる形状、又は該振動板本体の頂点付近から別の頂点付近まで延びる形状を有する。
【００１９】
また、本発明の一実施形態において、第二の補強板は、振動板の中心を通る中心線を挟んで対称となる形状を持つものとしてもよい。
【００２０】
また、本発明の一実施形態において、第二の補強板は、振動板本体の各辺付近に中央領域を取り囲うように配置された複数の棒形状を組み合わせた形状を有するものとしてもよい。
【００２１】
また、本発明の一実施形態において、振動板本体が複数の対角線を持つ形状となっており、この場合、第二の補強板は、複数の対角線上の各々に配置された複数の棒形状を組み合わせた形状を有するものとしてもよい。
【発明の効果】
【００２２】
本発明の一実施形態によれば、不織布シートを備えない構成でありつつも平面振動板と永久磁石板との機械的干渉によるノイズを抑圧するのに好適な平板スピーカが提供される。
【図面の簡単な説明】
【００２３】
【図１】本発明の一実施形態に係る平板スピーカの外観を示す外観斜視図である。
【図２】本発明の一実施形態に係る平板スピーカの構成を示す分解斜視図である。
【図３】本発明の一実施形態に係る平板スピーカに備えられる平面振動板の正面図である。
【図４】本発明の一実施形態に係る平板スピーカに備えられる前面カバーと背面板との固定構造を示す断面図である。
【図５】本発明の変形例１に係る平面振動板の概略矩形部に形成されたダンパ部を示す図である。
【図６】本発明の変形例２に係る平面振動板の概略矩形部に形成されたダンパ部周りの構成を示す図である。
【図７】本発明の変形例３に係る平面振動板の概略矩形部に形成されたダンパ部周りの構成を示す図である。
【図８】本発明の変形例４に係る平面振動板の概略矩形部に形成されたダンパ部周りの構成を示す図である。
【図９】本発明の変形例５に係る平板スピーカに備えられる平面振動板の正面図である。
【図１０】本発明の変形例６に係る平板スピーカに備えられる平面振動板の正面図である。
【図１１】本発明の変形例７に係る平板スピーカに備えられる平面振動板の正面図である。
【図１２】本発明の変形例８に係る平板スピーカに備えられる平面振動板の正面図である。
【図１３】本発明の変形例９に係る平板スピーカに備えられる平面振動板の正面図である。
【発明を実施するための形態】
【００２４】
以下、本発明の一実施形態に係る平板スピーカについて図面を参照しながら説明する。
【００２５】
図１は、本発明の一実施形態に係る平板スピーカ１の外観を示す外観斜視図である。図１に示されるように、平板スピーカ１は、外観的には扁平の概略直方体状の薄型スピーカである。平板スピーカ１は、Ｄｎｏｔｅ（登録商標）等のデジタル信号処理技術によりデジタル音源で直接駆動されるフルデジタルスピーカであり、例えば、薄型テレビジョンやヘッドフォン等の電子機器に搭載される。
【００２６】
図２は、本発明の一実施形態に係る平板スピーカ１の構成を示す分解斜視図である。図２に示されるように、平板スピーカ１は、平面振動板１０、平面振動板１０を挟んで所定の間隔を空けて対向配置された一対の永久磁石板２０、及び一対の永久磁石板２０を挟んでその内部に収容し固定支持した金属製筐体（前面カバー３０及び背面板４０）を備えている。
【００２７】
図３は、本発明の一実施形態に係る平面振動板１０の正面図である。平面振動板１０は、ベースフィルム上に銅箔パターンが形成されたＦＰＣであり、図３に示されるように、概略矩形部１０ｂ及び引き出し部１０ｃを有している。平面振動板１０のベースフィルム（及びカバーレイ）は、例えば、ポリエチレンテレフタレートフィルムや芳香族ポリイミドフィルム等の可撓性を有する絶縁性樹脂フィルムで形成されている。
【００２８】
概略矩形部１０ｂの中央領域には、磁気回路を構成する蛇行形状の配線パターン（ボイスコイル１０ａ）が形成されている。また、中央領域を取り囲む概略矩形部１０ｂの周縁領域には、複数のダンパ部１０ｇが所定間隔を空けて並べて形成されている。
【００２９】
平板スピーカ１は、低電圧駆動でありつつも音圧を確保すると共に高音質な再生を達成するため、マルチボイスコイル、すなわち、複数のボイスコイルで駆動する構成となっている。そのため、ボイスコイル（蛇行形状の銅箔パターン）１０ａは、平面振動板１０の概略矩形部１０ｂに複数形成されている。なお、図面では、便宜上、複数のボイスコイル１０ａを１本のパターンで示している。
【００３０】
永久磁石板２０は、平面振動板１０の概略矩形部１０ｂと同程度の大きさの概略平板形状を持ち、例えば、フェライトや希土類磁性粉を含んだ樹脂磁石、ゴム磁石等により形成されている。永久磁石板２０は、帯状のＮ極とＳ極とが交互に現れる平行縞状の多極着磁パターンが平面振動板１０の概略矩形部１０ｂとの対向面の全面に亘って形成されている。一対の永久磁石板２０の互いの多極着磁パターンは、平面振動板１０の概略矩形部１０ｂを挟んで互いのＮ極同士及びＳ極同士が対向する。
【００３１】
多極着磁パターンが形成された永久磁石板２０の多極着磁パターン面では、Ｎ極とＳ極との各境界付近がニュートラルゾーンと呼ばれており、ニュートラルゾーンを跨ぐように、互いに隣り合うＮ極からＳ極に向かう磁界が形成されている。すなわち、平面振動板１０の概略矩形部１０ｂの表面に沿うように磁界が形成されている。
【００３２】
また、永久磁石板２０は、各ニュートラルゾーン上の適宜の位置（例えば千鳥格子状）に、永久磁石板２０を貫通する円形の音波放出孔２０ａが複数穿設されている。
【００３３】
平面振動板１０は、ボイスコイル１０ａの直線部分（図中、Ｙ軸方向に延伸する直線部分）が各永久磁石板２０のニュートラルゾーンに対応するように（具体的には、ボイスコイル１０ａの直線部分が磁界を横切る方向に延伸するように）、一対の永久磁石板２０との位置関係が設定されている。
【００３４】
前面カバー３０は、鉄板等の高透磁率の金属部品であり、一面が開口された概略直方体形状を有している。前面カバー３０の内側面には、永久磁石板２０が自身の磁気吸着力により密着固定されている。前面カバー３０にも、永久磁石板２０の各音波放出孔２０ａに対応する位置に同様の音波放出孔３０ａが穿設されている。
【００３５】
背面板４０も鉄板等の高透磁率の金属部品であり、一面が開口された概略直方体形状を有している。背面板４０の内側面にも、永久磁石板２０が自身の磁気吸着力により密着固定されている。背面板４０にも、永久磁石板２０の各音波放出孔２０ａに対応する位置に同様の音波放出孔４０ａが穿設されている。
【００３６】
前面カバー３０には、複数のねじ孔３０ｂ及びフランジ３０ｃが形成されている。背面板４０には、各ねじ孔３０ｂに対応する位置にねじ孔４０ｂが形成されており、フランジ３０ｃに対応する位置にフランジ４０ｃが形成されている。
【００３７】
図４は、前面カバー３０と背面板４０との固定構造を示す断面図である。図４に示されるように、前面カバー３０のねじ孔３０ｂと背面板４０のねじ孔４０ｂにねじ５０が通されてナット５２が締められる。各箇所（本実施形態では６箇所）でナット５２が締められることにより、前面カバー３０と背面板４０とが固定されて、扁平の概略直方体状の金属製筐体が完成する。このとき、平面振動板１０は、ダンパ部１０ｇに形成された孔１０ｇＡにねじ５０が通されて共締めされる。これにより、平面振動板１０の概略矩形部１０ｂは、前面カバー３０と背面板４０とによる金属製筐体内において、ＸＹ方向（概略矩形部１０ｂの板面方向）の移動が規制される。
【００３８】
図１に示されるように、平面振動板１０の引き出し部１０ｃは、金属製筐体から引き出されている。引き出し部１０ｃの先端には、コネクタ（不図示）が取り付けられている。ボイスコイル１０ａは、その入出力端が引き出し部１０ｃに形成された引き出しパターンを介してコネクタと接続されており、コネクタと接続された通電回路より通電される。
【００３９】
平面振動板１０の概略矩形部１０ｂは、ボイスコイル１０ａに通電されると、フレミングの左手の法則に従う電磁力により一対の永久磁石板２０の間でＺ軸方向に振動する。振動によって生じた音波（すなわち、音源を再生した再生音）は、永久磁石板２０及び前面カバー３０の各音波放出孔並びに永久磁石板２０及び背面板４０の各音波放出孔より外部に放射されて、聴取者によって聴取される。平板スピーカ１では、従来のアナログ変換等に伴う音質の劣化が無いため、デジタル音源を高音質で再生することができる。
【００４０】
前面カバー３０のねじ孔３０ｂは、背面板４０側に落とし込まれた位置に形成されており、背面板４０のねじ孔４０ｂは、前面カバー３０側に落とし込まれた位置に形成されている。これにより、平面振動板１０の概略矩形部１０ｂは、図４に示されるように、前面カバー３０側の永久磁石板２０とのＺ軸方向（概略矩形部１０ｂの板厚方向）のクリアランスＣ１と、背面板４０側の永久磁石板２０とのＺ軸方向のクリアランスＣ２とが等しくなる位置に支持される。
【００４１】
このように、平面振動板１０の概略矩形部１０ｂは、Ｚ軸方向において各永久磁石板２０から離れた位置（詳細には、それぞれの永久磁石板２０とのクリアランスが等しくなる位置）に支持されている。各永久磁石板２０との間にクリアランスが確保されることにより、不織布シートを介在させなくても、概略矩形部１０ｂがＺ軸方向に振動した時の永久磁石板２０への機械的干渉が抑えられて、ノイズ（干渉音）が抑圧される。
【００４２】
ここで、図３中、説明の便宜上、ねじ５０及びナット５２の位置を二点鎖線にて示す。図３及び図４から判るように、平面振動板１０の概略矩形部１０ｂの周縁領域は、各孔１０ｇＡに通されたねじ５０及びナット５２によって、各孔１０ｇＡの周囲が前面カバー３０と背面板４０との間に挟持されることにより、金属製筐体に固定されている。
【００４３】
図３に示されるように、ダンパ部１０ｇは、前面カバー３０と背面板４０との間に挟持された領域（孔１０ｇＡの周囲の領域であり、説明の便宜上、「固定領域１０ｇＢ」と記す。）の周囲に、孔１０ｇＡと略同軸となる一対の円弧状スリット１０ｇＣが形成されている。これにより、平面振動板１０の概略矩形部１０ｂは、固定領域１０ｇＢの周囲で剛性が局所的に低くなっている。
【００４４】
剛性が低くなっている箇所では、電磁力を受けたときの概略矩形部１０ｂ（ボイスコイル１０ａがプリント配線された中央領域）の振動が緩やかに吸収される。そのため、概略矩形部１０ｂは、周縁領域において合計６箇所固定されているにも拘わらず、電磁力を受けたときに適度に振動する。６箇所の固定領域１０ｇＢで固定されていても概略矩形部１０ｂの振動が過度に抑制されないため、高音だけでなく低音に至るまで、歪みの少ないフラットな周波数特性が得られる。
【００４５】
ダンパ部１０ｇは、平面振動板１０の概略矩形部１０ｂの中心を通る中心線（図３中、一点鎖線）を挟んで対称となる位置に形成されている。ダンパ部１０ｇを対称位置に形成することにより、振動時の概略矩形部１０ｂの捻じれが軽微に抑えられる。概略矩形部１０ｂの捻じれが軽微に抑えられることにより、概略矩形部１０ｂの振動時であっても、ＸＹ面内における各永久磁石板２０の多極着磁パターンとボイスコイル１０ａとの位置がずれ難くなり、振動のリニアリティが担保される。
【００４６】
図３に示されるように、平面振動板１０ａの引き出し部１０ｃには、ボイスコイル１０ａの引き出しパターンの両脇にＧＮＤライン１０ｄが形成されている。なお、ＧＮＤライン１０ｄは、磁気回路を構成する配線パターンが形成された領域（本実施形態では、図３中、破線で囲われた領域）の外側であれば、引き出しパターンの両脇に限らず別の箇所に形成されてもよい。
【００４７】
ＧＮＤライン１０ｄのランド１０ｅには、小孔１０ｆが形成されている。平面振動板１０は、小孔１０ｆに通されたねじ６０によって前面カバー３０のフランジ３０ｃ及び背面板４０のフランジ４０ｃと共締めされる。これにより、ボイスコイル１０ａは、ＧＮＤライン１０ｄ及びねじ６０を介して、前面カバー３０と背面板４０とによる金属製筐体に接地される。
【００４８】
ボイスコイル１０ａは、金属製筐体に接地されることにより、静電容量が大きくなって接地電圧が安定する。これにより、輻射ノイズの発生が抑えられる。また、平面振動板１０は、金属製筐体に共締めされることにより、ＸＹ方向の移動がより確実に規制される。
【００４９】
引き出し部１０ｃは、コネクタが取り付けられた先端から概略矩形部１０ｂとの境界付近に至る略全長に亘って幅ｄ１を有しており、概略矩形部１０ｂとの境界とねじ６０による共締め箇所との間で幅ｄ１よりも細い幅ｄ２を有している。各ボイスコイル１０ａより引き出された引き出しパターンは、幅ｄ１を持つ部分では、インピーダンスによる電圧降下を抑えるのに十分な太さで配線されており、幅ｄ２を持つ部分では、それよりも細く配線されている。
【００５０】
このように、概略矩形部１０ｂとの境界とねじ６０による共締め箇所との間で引き出し部１０ｃを局所的に細く形成して引き出し部１０ｃの剛性を低下させることにより、電磁力を受けた平面振動板１０の概略矩形部１０ｂを少ないロスで振動させることができ、例えば歪みの少ない音の再生が可能となる。
【００５１】
図１及び２に示されるように、背面板４０にはフランジ４０ｄが形成されている。フランジ４０ｄに通されたねじ（不図示）が平板スピーカ１を搭載する装置（薄型テレビジョンやヘッドフォン等の電子機器）の筐体に締められることにより、平板スピーカ１が該装置に取り付けられる。
【００５２】
以上が本発明の例示的な実施形態の説明である。本発明の実施形態は、上記に説明したものに限定されず、本発明の技術的思想の範囲において様々な変形が可能である。例えば明細書中に例示的に明示される実施例等又は自明な実施例等を適宜組み合わせた内容も本願の実施形態に含まれる。
【００５３】
なお、以降においては、上記の実施形態に係る平板スピーカ１と同一の又は同様の構成には同一の又は同様の符号を付して説明を適宜簡略又は省略する。
【００５４】
［変形例１］
図５は、変形例１に係る平面振動板１０の概略矩形部１０ｂに形成されたダンパ部１１０ｇを示す。図５に示されるように、本変形例１に係るダンパ部１１０ｇは、固定領域１１０ｇＢの周囲に孔１０ｇＡと略同軸となる円弧状スリット１１０ｇＣが多数（一対よりも多く）形成されている。これにより、固定領域１０ｇＢの周囲では、電磁力を受けたときの概略矩形部１０ｂの振動がより緩やかに吸収される。そのため、例えば低音の再生に有利になる。
【００５５】
［変形例２］
図６は、変形例２に係る平面振動板１０の概略矩形部１０ｂに形成されたダンパ部１０ｇ周りの構成を示す。本変形例２では、概略矩形部１０ｂを軽量化して音質及び音圧を向上させるため、板厚の薄いＦＰＣを用いて平面振動板１０が作成されている。但し、概略矩形部１０ｂの板厚が薄く軽量な場合、振動時の概略矩形部１０ｂの制動性が低下してしまう。そこで、本変形例２では、図６に示されるように、ダンパ部１０ｇ（孔１０ｇＡ及び円弧状スリット１０ｇＣ）の周囲（のベースフィルム又はカバーレイ）に補強板１０ｇＤが接着等で貼り付けられている。これにより、振動時の概略矩形部１０ｂの制動性の低下が抑えられる。
【００５６】
［変形例３］
図７は、変形例３に係る平面振動板１０の概略矩形部１０ｂに形成されたダンパ部１０ｇ周りの構成を示す。本変形例３では、前面カバー３０は、ねじ孔３０ｂに代えて、ハトメ用孔１３０ｂを有しており、背面板４０は、ねじ孔４０ｂに代えて、ハトメ状に形成されたハトメ部１４０ｂを有している。ハトメ部１４０ｂは、図７（ａ）に示されるように、ハトメ用孔１３０ｂに差し込まれ、図７（ｂ）に示されるように、不図示のハトメプレス機によりプレス加工される。各箇所（例えば上記の実施形態と同様に６箇所）でハトメ部１４０ｂがプレス加工されることにより、前面カバー３０と背面板４０とが固定されて、扁平の概略直方体状の金属製筐体が完成する。本変形例３によれば、ねじ５０が不要となり、部品点数が削減される。
【００５７】
［変形例４］
図８は、変形例４に係る平面振動板１０の概略矩形部１０ｂに形成されたダンパ部１０ｇ周りの構成を示す。本変形例４では、前面カバー３０と背面板４０とによる金属製筐体は、ハトメ用孔１３０ｂ及びハトメ部１４０ｂに通されたねじ７０によって、概略矩形部１０ｂ及び平板スピーカ１を搭載する装置（薄型テレビジョンやヘッドフォン等の電子機器）の筐体２００と共締めされる。本変形例４によれば、ハトメ用孔１３０ｂ及びハトメ部１４０ｂを筐体２００に取り付けるための取付孔として利用することにより、平板スピーカ１を搭載する電子機器の小型化に有利になる。
【００５８】
［変形例５］
図９は、変形例５に係る平面振動板１０の正面図である。本変形例５に係る平面振動板１０は、周縁領域の外周側の領域（図９中、ハッチング領域）が全周に亘ってゴム等の弾性部材に接着等された状態で、前面カバー３０と背面板４０とによる金属製筐体内に固定されており、周縁領域の内周側の領域において複数のスリット２１０ｇＣが全周方向に並べて形成されている。
【００５９】
図９に示されるように、隣接する各スリット２１０ｇＣの対は、一方のスリット２１０ｇＣの端部が凸状に形成されており、これと対向する他方のスリット２１０ｇＣの端部が凹状に形成されている。これにより、周縁領域の外周側の領域（図９中、ハッチング領域）と、ボイスコイル１０ａがプリント配線された中央領域とを繋ぐ部分が略Ｃ字形状をなしている。この場合、周縁領域の外周側の領域と、ボイスコイル１０ａがプリント配線された中央領域とを繋ぐ部分を直線で単純に繋ぐ場合と比べて、剛性が低い箇所の長さを確保することができる。そのため、剛性が低い箇所による振動の吸収性能を適正に設定し易くなり、概略矩形部１０ｂを適度に振動させるのに好適な構成となっている。
【００６０】
上述したように、平面振動板１０の引き出し部１０ｃは、ねじ締めによって前面カバー３０及び背面板４０に固定されている。そのため、平面振動板１０の概略矩形部１０ｂは、厳密には、永久磁石板２０の面と直交する方向（Ｚ軸方向）に振動せず、ねじ締め部分である引き出し部１０ｃの小孔１０ｆ辺りを支点として、Ｚ軸方向に対して極僅かではあるが傾いた方向に振動する。Ｚ軸方向に対する概略矩形部１０ｂの振動方向の傾きが大きいと、例えば、平面振動板１０と永久磁石板２０との機械的干渉によるノイズが発生したり、概略矩形部１０ｂが波打って振動することによってノイズが発生したりする虞がある。そのため、概略矩形部１０ｂは、Ｚ軸方向に対して傾かずに振動することが望ましい。以下の変形例６〜９に係る平面振動板１０は、概略矩形部１０ｂがＺ軸方向に傾きを持たずに振動するのに好適に構成されている。
【００６１】
［変形例６］
図１０は、変形例６に係る平面振動板１０の正面図である。本変形例６に係る平面振動板１０は、図１０に示されるように、引き出し部１０ｃが形成されている概略矩形部１０ｂの辺付近に、当該辺に沿って長い長穴１０ｈが形成されている。この位置に長穴１０ｈが形成されていることにより、平面振動板１０は、引き出し部１０ｃと、ボイスコイル１０ａへの通電時に主に振動する、概略矩形部１０ｂの中央領域（図１０中、点線で囲われた領域であり、変形例６〜９では、説明の便宜上「振動領域１０ｉ」と記す。）が、主に概略矩形部１０ｂの辺と長穴１０ｈの辺によって規定される左右一対の細長形状１０ｊを介して連結する構成となる。
【００６２】
本変形例６に係る平面振動板１０では、振動領域１０ｉと引き出し部１０ｃとを連結する細長形状１０ｊにおいて、断面積が小さくなっていることから、剛性が局所的に低くなっている。そのため、電磁力を受けたときの振動領域１０ｉの振動が細長形状１０ｊで緩やかに吸収される。言い換えると、振動領域１０ｉの振動時に細長形状１０ｊが屈曲するため、ねじ締め部分である引き出し部１０ｃの小孔１０ｆ辺りが振動時の支点として作用しない。そのため、振動時におけるＺ軸方向に対する振動領域１０ｉの振動方向の傾きが抑えられる。Ｚ軸方向に対する振動領域１０ｉの振動方向の傾きが抑えられるほどノイズの抑圧に有利であることから、本変形例６に係る平面振動板１０は、高音だけでなく低音に至るまで、歪みの少ないフラットな周波数特性を得るのに好適な構成といえる。
【００６３】
細長形状１０ｊは、平面振動板１０の概略矩形部１０ｂの中心を通る中心線（図１０中、一点鎖線）を挟んで、左右一対あり且つ対称となる形状を持つ。左右一対の細長形状１０ｊが対称形状を持つことにより、その剛性が等しくなり、振動領域１０ｉの振動が各細長形状１０ｊで均等に吸収される。そのため、例えば、各細長形状１０ｊにおいて振動領域１０ｉの振動が不均等に吸収されることによる振動領域１０ｉの捻じれが防がれる。
【００６４】
細長形状１０ｊを細く形成するほど、その断面積が小さくなるため、細長形状１０ｊが屈曲しやすくなり、振動領域１０ｉの振動が細長形状１０ｊで吸収されやすくなる。そのため、細長形状１０ｊは、耐久性を考慮しつつ可能な範囲で細い形状であることが望ましい。
【００６５】
剛性の低い部分である細長形状１０ｊを長く形成するほど、振動時における細長形状１０ｊの屈曲量が増えるため、振動領域１０ｉの振動が細長形状１０ｊで吸収されやすくなる。そのため、細長形状１０ｊは長いほど好ましい。
【００６６】
長穴１０ｈの幅が広いほど概略矩形部１０ｂの外径寸法が大きくなる。平板スピーカ１を小型化させる点から、長穴１０ｈの幅は狭いほど望ましい。但し、長穴１０ｈの幅が狭すぎると、振動時に振動領域１０ｉと細長形状１０ｊとが機械的に干渉してノイズが発生する虞がある。そのため、長穴１０ｈは、振動時に振動領域１０ｉと細長形状１０ｊとが機械的に干渉することがない最小限の幅を持つことが望ましい。
【００６７】
［変形例７］
図１１は、変形例７に係る平面振動板１０の正面図である。本変形例７に係る平面振動板１０は、長穴１０ｈ（及びこれに伴い細長形状１０ｊ）の形状が異なる点以外、本変形例６に係る平面振動板１０と同じ構成となっている。
【００６８】
図１１に示されるように、本変形例７において、長穴１０ｈは、引き出し部１０ｃが形成されている概略矩形部１０ｂの辺を含む３辺付近に、当該３辺に沿ってコの字状に形成されている。これにより、左右一対の細長形状１０ｊがそれぞれ略Ｌ字の形状となり、その全長がより長くなる。すなわち、本変形例７によれば、剛性の低い部分である細長形状１０ｊがより長く形成されるため、振動領域１０ｉの振動が細長形状１０ｊでより一層吸収されやすくなる。
【００６９】
［変形例８］
図１２は、変形例８に係る平面振動板１０の正面図である。本変形例８に係る平面振動板１０は、概略矩形部１０ｂを軽量化して音質及び音圧を向上させるため（特に、高域の周波数特性をよりフラットに伸ばすため）、例えば変形例６に係る平面振動板１０よりも板厚の薄いＦＰＣを用いて作成されている。但し、板厚を薄くすることによって概略矩形部１０ｂの剛性が低下するため、振動時の振動領域１０ｉの制動性が低下してしまう。
【００７０】
そこで、本変形例８に係る平面振動板１０は、図１２に示されるように、平面振動板１０の概略矩形部１０ｂの周縁領域に補強板１０ｋ（便宜上、ハッチングで示す。）が接着等で貼り付けられている。なお、本変形例８に係る平面振動板１０は、板厚が薄い点及び補強板１０ｋを備える点以外、本変形例６に係る平面振動板１０と同じ構成となっている。
【００７１】
補強板１０ｋは、振動領域１０ｉを取り囲う形状となっている。説明を加えると、補強板１０ｋは、４本の棒形状からなり、各棒形状の端部が概略矩形部１０ｂの各頂点にて、隣接する棒形状の端部と交差（ここでは直交）する形状となっている。このように、補強板１０ｋを概略矩形部１０ｂに貼り付けることにより、板厚を薄くすることによる概略矩形部１０ｂの剛性の低下が振動領域１０ｉの全体に亘って抑えられる。そのため、振動時の振動領域１０ｉの制動性の低下が抑えられる。
【００７２】
なお、補強板１０ｋをなす４本の棒形状は、端部の剛性の違いによって屈曲部ができないように、一体化され且つ均一な厚みを持つことが望ましい。
【００７３】
また、補強板１０ｋは、細長形状１０ｊの剛性を低く保つため、細長形状１０ｊには貼り付けられていない。そのため、振動領域１０ｉの振動は、変形例６等と同様に、細長形状１０ｊで吸収される。
【００７４】
また、補強板１０ｋは、平面振動板１０の概略矩形部１０ｂの中心を通る中心線（図１２中、一点鎖線）を挟んで対称となる形状を持つ。補強板１０ｋが対称形状を持つことにより、板厚を薄くすることによる概略矩形部１０ｂの剛性の低下が振動領域１０ｉの全体に亘って均等に抑えられる。これにより、振動領域１０ｉの振動が安定する（例えば波打って振動しない）ため、振動時におけるノイズの抑圧に有利となる。
【００７５】
［変形例９］
図１３は、変形例９に係る平面振動板１０の正面図である。本変形例９に係る平面振動板１０も、本変形例８と同様に、概略矩形部１０ｂを軽量化して音質及び音圧を向上させるため（特に、高域の周波数特性をよりフラットに伸ばすため）、例えば変形例６に係る平面振動板１０よりも板厚の薄いＦＰＣを用いて作成されている。本変形例９に係る平面振動板１０は、補強板１０ｋの形状が異なる点以外、本変形例８に係る平面振動板１０と同じ構成となっている。
【００７６】
図１３に示されるように、本変形例９において、補強板１０ｋは、概略矩形部１０ｂの一対の対角線上に略×字状の補強板１０ｋ（便宜上、ハッチングで示す。）が接着等で貼り付けられている。言い換えると、本変形例９に係る補強板１０ｋは、概略矩形部１０ｂの各対角線上に位置する一対の棒形状からなる。一対の棒形状は、概略矩形部１０ｂの略中心位置で交差している。
【００７７】
このような形状を持つ補強板１０ｋを概略矩形部１０ｂに貼り付けることにより、板厚を薄くすることによる概略矩形部１０ｂの剛性の低下が振動領域１０ｉの全体に亘って抑えられる。本変形例９では、振動領域１０ｉの中心位置を含む領域も補強板１０ｋで補強されるため、概略矩形部１０ｂの剛性の低下が全体に亘ってより一層好適に抑えられる。そのため、振動時の振動領域１０ｉの制動性の低下がより一層抑えられる。
【００７８】
なお、補強板１０ｋをなす一対の棒形状は、略Ｘ字状に交差している部分で剛性の違いによって屈曲部ができないように、一体化され且つ均一な厚みを持つことが望ましい。
【００７９】
本変形例８に係る補強板１０ｋは、概略矩形部１０ｂの辺付近から別の辺付近まで延びる４本の棒形状を組み合わせた形状を有しており、本変形例９に係る補強板１０ｋは、概略矩形部１０ｂの頂点付近から別の頂点付近まで延びる２本の棒形状を組み合わせた形状を有している。別の変形例では、補強板１０ｋは、概略矩形部１０ｂの辺付近から別の辺付近又は頂点付近まで延びる１本の棒形状、若しくは概略矩形部１０ｂの頂点付近から別の頂点付近まで延びる１本の棒形状からなる形状を有するものであってもよい。すなわち、このような棒形状を少なくとも１本有する補強板１０ｋを概略矩形部１０ｂに貼り付けることにより、板厚を薄くすることによる概略矩形部１０ｂの剛性の低下が抑えられて、振動時の振動領域１０ｉの制動性の低下が抑えられる。
【符号の説明】
【００８０】
１  平板スピーカ
１０  平面振動板
１０ａ  ボイスコイル
１０ｂ  概略矩形部
１０ｃ  引き出し部
１０ｄ  ＧＮＤライン
１０ｅ  ランド
１０ｆ  小孔
１０ｇ  ダンパ部
１０ｇＡ  孔
１０ｇＢ  固定領域
１０ｇＣ  円弧状スリット
１０ｇＤ  補強板
１０ｈ  長穴
１０ｉ  振動領域
１０ｊ  細長形状
１０ｋ  補強板
２０  永久磁石板
２０ａ  音波放出孔
３０  前面カバー
３０ａ  音波放出孔
３０ｂ  ねじ孔
３０ｃ  フランジ
４０  背面板
４０ａ  音波放出孔
４０ｂ  ねじ孔
４０ｃ、４０ｄ  フランジ
５０、６０、７０  ねじ
５２  ナット
１３０ｂ  ハトメ用孔
１４０ｂ  ハトメ部
【図１】
0006778030.tif 000002
【図２】
0006778030.tif 000003
【図３】
0006778030.tif 000004
【図４】
0006778030.tif 000005
【図５】
0006778030.tif 000006
【図６】
0006778030.tif 000007
【図７】
0006778030.tif 000008
【図８】
0006778030.tif 000009
【図９】
0006778030.tif 000010
【図１０】
0006778030.tif 000011
【図１１】
0006778030.tif 000012
【図１２】
0006778030.tif 000013
【図１３】
0006778030.tif 000014